(57)【要約】      （修正有）【課題】双方向通信機能を有していないリモコン装置の場合においても、簡単に、次の操作をガイドすることができる技術を提供する。【解決手段】ユーザが録画したいと思った場合には、操作誘導（ナビゲート：ＬＥＤ表示）の要否の設定を促す。要の場合にはナビゲートボタンを押し、続いて録画ボタンを押すと（両方のボタンを同時に押しても良い）、録画ボタンのＬＥＤが点滅し、次回操作ボタン候補であることをユーザにナビゲートする。これを目安にしてユーザが録画ボタンを押すと、実際に録画処理が開始され録画ボタンのＬＥＤが点滅から点灯に変更される。同時に次回候補である停止ボタンのＬＥＤが点滅しユーザにナビゲートする。一方、ナビゲートが否であると、ナビゲートボタンを押さずに録画ボタンを押す。録画処理が開始され、録画ボタンのＬＥＤが点灯する。停止ボタンが押されると録画処理が停止する。【選択図】図３
2007336063.tif 000002
【特許請求の範囲】
【請求項１】
電子機器と、該電子機器を遠隔操作するリモコン装置と、を有する遠隔操作システムであって、
前記リモコン装置は、操作ボタンを有する操作部と、前記電子機器に関する操作ボタンの一連の操作手順が記載された操作手順テーブルを記憶する記憶部と、ある操作ボタンが押された場合に前記操作手順テーブルに基づいて次操作候補ボタンを検索する次操作候補ボタン検索部と、検索された次操作候補ボタンを報知する次操作候補ボタン報知部と
を有することを特徴とする電子機器の遠隔操作システム。
【請求項２】
前記次操作候補ボタン報知部は、前記操作ボタン毎に設けられているＬＥＤ光源と、該ＬＥＤ光源の発光を制御するＬＥＤ光源制御部と、を有することを特徴とする請求項１に記載の遠隔操作システム。
【請求項３】
ＬＥＤ光源制御部は、現在操作した操作ボタンと、次操作候補ボタンと、を識別可能に発光させる制御を行うことを特徴とする請求項２に記載の遠隔操作システム。
【請求項４】
前記現在操作したボタンと、ナビゲート操作ボタンとのセットで押された場合に、前記次操作候補ボタンの報知を行うことを特徴とする請求項１から３までのいずれか１項に記載の遠隔操作システム。
【請求項５】
前記次操作候補ボタンを押す操作が行われるまでに、新たな次操作候補が発生した場合には、該新たな次操作候補のボタンに関する報知を行うことを特徴とする請求項１から４までのいずれか１項に記載の遠隔操作システム。
【請求項６】
次操作候補が複数存在する場合に、そのうちの優先度の高い候補を最優先させてナビゲートすることを特徴とする請求項１から５までのいずれか１項に記載の遠隔操作システム。
【請求項７】
前記優先度を、前記リモコン装置のボタンの押される順番に関する履歴に基づいて、確率的に多い次候補の優先度を大きくするようにすることを特徴とする請求項６に記載の遠隔操作システム。
【請求項８】
前記一連の操作を、前記リモコン装置の操作履歴に基づいて決定することを特徴とする請求項１から７までのいずれか１項に記載の遠隔操作システム。
【請求項９】
電子機器を遠隔操作するリモコン装置であって、
操作ボタンを有する操作部と、前記電子機器に関する操作ボタンの一連の操作手順が記載された操作手順テーブルを記憶する記憶部と、ある操作ボタンが押された場合に前記操作手順テーブルに基づいて次操作候補ボタンを検索する次操作候補ボタン検索部と、検索された次操作候補ボタンを報知する次操作候補ボタン報知部と
を有することを特徴とするリモコン装置。
【請求項１０】
操作ボタンを有する操作部と、
操作ボタンの一連の操作手順が記載された操作手順テーブルを記憶する記憶部と、
ある操作ボタンが押された場合に前記操作手順テーブルに基づいて次操作候補ボタンを検索する次操作候補ボタン検索部と、
検索された次操作候補ボタンを報知する次操作候補ボタン報知部と
を有することを特徴とする携帯端末装置。
【請求項１１】
操作部を備えた電子機器であって、
前記操作部は、前記電子機器に関する操作ボタンの一連の操作手順が記載された操作手順テーブルを記憶する記憶部と、ある操作ボタンが押された場合に前記操作手順テーブルに基づいて次操作候補ボタンを検索する次操作候補ボタン検索部と、検索された次操作候補ボタンを報知する次操作候補ボタン報知部と
を有することを特徴とする電子機器。
【発明の詳細な説明】
【技術分野】
【０００１】
本発明、リモートコントロール装置（以下、「リモコン装置」と称する。）に関し、特に、ナビゲート機能を備えたリモコン装置に関する。
【背景技術】
【０００２】
家電を含む電子機器の高性能化・多機能化に伴って、電子機器の操作が次第に複雑になってきている。また、それに伴って、操作マニュアルも内容量が増加し、全てを読むことも難しくなってきている。
【０００３】
ある操作が行われた場合に、次の操作を誘導するガイド技術が知られている。例えば、電気洗濯機の操作パネルにおいて、次に操作するボタンを点灯させる洗濯機が既に商品化されている。また、双方向通信を用いたリモコンにおいては、次の操作をガイドする技術として、以下に示す技術が開示されている。
【０００４】
【特許文献１】特開２００３−１４３４３５号公報
【発明の開示】
【発明が解決しようとする課題】
【０００５】
従来の操作ガイドのないリモコン装置を用いると、例えばＤＶＤ＋ＨＤＤ（複合）装置など機能が多い場合に、リモコン装置の操作ボタンが増えてしまい操作が複雑となり、ユーザは、どのボタンを操作してよいか戸惑いを生じるという問題がある。また、上記特許文献１に記載の技術においては、次の操作をガイドするためには、リモコン装置と電子機器（被制御機器）との間において、双方向通信を行う必要があった。すなわち、一般的なヘルプボタン（例：リモコンに設けられている場合）は、ヘルプボタンが押されると、後の操作手順をＣＰＵが判断し、その手順をＲＯＭより読み出すための制御コードを本体に送信する場合が多い。本体はその制御コマンドを受信し、本体のＣＰＵは、制御コマンドを基にＲＯＭより操作手順データ（テキスト）を読み出す。操作手順データは例えばＯＳＤにより文字信号で出力され映像信号と合成され表示部に表示する。従って、電子機器本体およびリモコン装置に対して、ヘルプ機能を付加するだけで、構造がかなり複雑化し、コストがかかるというような問題も起こりかねない。
【０００６】
本発明は、双方向通信機能を有していないリモコン装置の場合においても、簡単に、次の操作をガイドすることができる技術を提供することを目的とする。
【課題を解決するための手段】
【０００７】
電子機器を制御するリモコン装置において、次の操作を誘導するためのナビゲートボタンを設ける。また、実行ボタンと、次に操作するボタンとを区別する手段を設ける。
【発明の効果】
【０００８】
本発明によれば、従来のリモコン通信（片方向）と同様の構成、すなわち双方向通信の仕組みを用いなくても操作のナビゲートが可能となるため、ナビゲート機能を付加しても構造が簡単になり、製造コストが低減するという利点がある。
【発明を実施するための最良の形態】
【０００９】
以下、本発明の一実施の形態によるリモコン装置について、図面を参照しながら説明を行う。図１Ａは、本実施の形態によるリモコン装置の一構成例を示す機能ブロック図である。図１Ｂは、リモコン装置の記憶部に記憶されているナビゲート操作テーブルの構成例を示す図である。図２は、本実施の形態によるリモコン装置の操作ボタンの構成を示す図である。図３及び図４は、リモコン装置の操作の様子の例を示す図である。
【００１０】
図１Ａに示すように、本実施の形態によるリモコン装置１は、赤外線送信部３と、全体を制御する制御部（ＣＰＵ）５と、記憶部７と、操作部１１と、ＬＥＤ制御部１４と、を有している。
【００１１】
図２に示すように、本実施の形態によるリモコン装置の操作部１１は、リモコン装置の上面１７に設けられた操作ボタン１５において、例えば接点スイッチ２１の上方であって、その方向から見える位置にＬＥＤ２３を設けている。このＬＥＤ２３の点灯、点滅などの識別可能な表示に関する制御は、図１に示す制御部５の指示に基づいてＬＥＤ制御部１４において行われる。図１Ｂに示すように、記憶部７には、リモコン装置の一般的なコードなどの他に、例えば、ある操作ボタンとナビゲートボタンとが押された場合に、押されたある操作ボタンに関連する一連の操作手順が記載された操作手順テーブルが記憶されている。次の操作ボタンが押された場合に、その次に操作すべき操作ボタンを上記一連の操作手順が記載され記憶部７に格納された操作手順テーブルから取得して、次に操作すべき操作ボタンを点灯させるなどしてユーザの操作をナビゲートする。一連の手順とは、例えば、１）録画開始−録画停止、２）電子番組表表示−番組選択−番組決定−予約確定、３）ＤＶＤ挿入後にＤＶＤ検出−ＨＤＤに記憶されているコンテンツの選択−ＤＶＤへのコンテンツの移動又は複写−ＤＶＤへの移動又は複写の停止−ＤＶＤのイジェクトなどが挙げられる。
【００１２】
さらに、現在実行するために押された実行ボタンを例えば点灯にした場合には、次に操作すべきボタンとしてナビゲートする次回操作候補ボタンを点滅させるなど、実行ボタンと次回操作候補ボタンとを識別可能にすることが好ましい。
【００１３】
図３に示すように、ステップＳ１において、ユーザが録画したいと思った場合には、ステップＳ２において、操作誘導（ナビゲート：ＬＥＤ表示）の要否の設定を促す。要の場合にはステップＳ３に進み、ナビゲートボタンを押しステップＳ４において録画ボタンを押すと（両方のボタンを同時に押しても良い）、ステップＳ５において録画ボタンのＬＥＤが点滅し、次回操作ボタン候補であることをユーザにナビゲートする。これを目安にしてステップＳ６においてユーザが録画ボタンを押すと、ステップＳ７において、実際に録画処理が開始され録画ボタンのＬＥＤが点滅から点灯に変更される。
【００１４】
一方、ステップＳ２において、ナビゲート否となると、ステップＳ１０に進み、ナビゲートボタンを押さずに録画ボタンを押す。ステップＳ１１において、録画処理が開始され、録画ボタンのＬＥＤが点灯する。ステップＳ１２において、停止ボタンを押すと録画処理が停止する。この場合には、停止ボタンのＬＥＤは消灯のままである。
【００１５】
尚、ステップＳ６において、録画ボタンを押すと、ステップＳ８に示すように次回候補である停止ボタンのＬＥＤが点滅し、そのナビゲートを参照してユーザがステップＳ９で停止ボタンを押し、録画停止となるとＬＥＤが消灯するようにしても良い。
【００１６】
図４に示すように、ステップＳ２１において、再生したいと思う場合に、ステップＳ２２において、操作誘導（ナビゲート：ＬＥＤ表示）の要否の設定を促す。要の場合にはステップＳ２３に進み、ナビゲートボタンを押しステップＳ２４において再生ボタンを押すと（両方のボタンを同時に押しても良い）、ステップＳ２５において再生ボタンのＬＥＤが点滅し、次回操作ボタン候補であることをユーザにナビゲートする。これを目安にしてステップＳ２６においてユーザが再生ボタンを押すと、ステップＳ２７において、実際に再生処理が開始され再生ボタンのＬＥＤが点滅から点灯に変更される。
【００１７】
一方、ステップＳ２２において、ナビゲート否となると、ステップＳ３０に進み、ナビゲートボタンを押さずに再生ボタンを押す。ステップＳ３１において、再生処理が開始され、再生ボタンのＬＥＤが点灯する。ステップＳ３２において、停止ボタンを押すと再生処理が停止する。この場合には、停止ボタンのＬＥＤは消灯のままである。
【００１８】
尚、ステップＳ２６において、再生ボタンを押すと、ステップＳ２８に示すように次回候補である停止ボタンのＬＥＤが点滅し、そのナビゲート（点滅）を参照してユーザがステップＳ２９で停止ボタンを押し、再生停止となるとＬＥＤが消灯するようにしても良い。
【００１９】
図５は、上記の処理を、実際のリモコン装置の操作例として説明した図である。図５に示すように、リモコン装置１において、左図のように録画ボタン５１とナビゲートボタン５３とを関連付けて押すと、中図に示すように録画ボタン５１が点灯する。これにより、ユーザに録画ボタンが押されたことを報知する。次いで右図に示すように、録画ボタン５１と一連の操作手順として関係する録画停止ボタン５７が点滅し、次操作候補であることをユーザにナビゲートする。この場合に、リモコン装置のみで処理が完結しており、被操作装置である記録再生装置とは情報のやり取りを行う必要はない。従って、本実施の形態によれば、簡単な構成で双方向通信を行うことなく、次の操作に関するナビゲートを行うことができるという利点がある。
【００２０】
次に、本発明の第２の実施の形態によるリモコン装置について図面を参照しながら説明を行う。本実施の形態は、次操作可能な機能が複数存在する場合や、例えば再生処理の途中で新たな次操作候補が生じた場合を考慮したものである。
【００２１】
図６に示すように、まず、ステップＳ３０において再生開始ボタンを押すと、再生ＬＥＤが点灯する。ステップＳ３１に進み、操作誘導の変更の要否に関する操作をユーザに促し、操作誘導の変更が要である場合には、ステップＳ３２に進んでナビゲートボタンを押す。ステップＳ３３において、次操作候補である再生停止ボタンが点滅する。ステップＳ３４において、次操作候補である再生停止ボタンを押す操作が行われるまでに、新たな次操作候補が新たに発生したか否かを判定する。次操作可能な候補が無い場合には（無）、ステップＳ４１に進み、次操作がない旨を（ＬＥＤ／ＯＳＤ）表示によりユーザに報知しステップＳ３４に戻る。次に操作が可能な機能が有る場合には、ステップＳ３５に進み、停止ボタンのＬＥＤを例えば点滅から消灯に変更し、ステップＳ３６において、次操作可能なボタンＡ（例えば、巻き戻し、早送り）のＬＥＤを点滅させる。ユーザは、このＬＥＤの点滅にナビゲートされて、ステップＳ３７においてボタンＡを押す。すると、ステップＳ３８において、ボタンＡの動作が実行されるとともに、ボタンＡが点灯する。ステップＳ３７において、停止ボタンが次操作候補となりＬＥＤが点滅し、ステップＳ４０において、ユーザはこれにナビゲートされて停止ボタンを押す（ＬＥＤは消灯する）。
【００２２】
本実施の形態においては、次操作候補が複数存在する場合に、そのうちの優先度の高い候補を最優先させて点滅等させてナビゲートすることも可能である。優先度は、リモコン装置のボタンの押される順番に関する操作履歴に基づいて、確率的に多い次候補の優先度を大きくするようにしても良い。また、一連の操作としてみなせるか否かに関しても、操作履歴に基づいて定めても良い。尚、上記実施の形態では、リモコン装置による遠隔操作を例にして説明したが、電子機器本体に操作部が設けられている場合でも同様に処理可能である。
【００２３】
次に、携帯電話機に関する変形例について図７を参照しながら説明する。図７に示す携帯電話機においては、ＴＶ機能を有するものが増えてきている。また、携帯電話機５１では、入力部６６をＴＶ（７０，７１）や記憶部６７の操作ボタンとしても利用できる。そこで、ＴＶ付き携帯電話５１においても、上記各実施の形態と同様に、ナビゲート機能を付加することができる。本実施の形態によるＴＶ機能付き情報携帯端末装置５１は、データ送受信用の送受信アンテナ６１と、テレビ放送を受信するためのテレビアンテナ７０と、を有している。さらに、通信関連の構成としては、携帯電話無線部６２と、制御部６３と、レシーバ６４と、マイク６５と、入力キー６６と、記憶部６７と、スピーカ６８と、表示部６９と、を有する。テレビ関連の構成としては、テレビチューナ部７１が設けられ、その他、表示部６９や制御部６３などは、通信関連と共用するように構成される。
【００２４】
上記の構成においても、操作ボタンにＬＥＤ６６ａを設け、次の候補に関する操作ボタンを点滅させる構成を持たせることにより、簡単な構成で次に操作すべきボタンをユーザに報知することができる。処理の手順に関しては、他の実施の形態とほぼ同様である。
【産業上の利用可能性】
【００２５】
本発明は、電子機器のリモコン装置に利用可能である。
【図面の簡単な説明】
【００２６】
【図１Ａ】本発明の第１の実施の形態によるリモコン装置の一構成例を示す機能ブロック図である。
【図１Ｂ】図１Ａにおけるリモコン装置の記憶部に記憶されているナビゲート操作テーブルの一例を示す図である。
【図２】本実施の形態によるリモコン装置の操作ボタンの構成を示す図である。
【図３】リモコン装置の操作処理例を示すフローチャート図である。
【図４】リモコン装置の操作処理例を示すフローチャート図である。
【図５】図３の処理を実際のリモコン装置の操作例として説明した図である。
【図６】本発明の第２の実施の形態によるリモコン装置における処理の流れを示す図である。
【図７】携帯電話機に関する変形例を示す図である。
【符号の説明】
【００２７】
１…リモコン装置、３…赤外線送信部、５…制御部（ＣＰＵ）、７…記憶部、１１…操作部、１４…ＬＥＤ制御部、１５…操作ボタン、２１…接点スイッチ、２３…ＬＥＤ。
【図１Ａ】
2007336063.tif 000003
【図１Ｂ】
2007336063.tif 000004
【図２】
2007336063.tif 000005
【図３】
2007336063.tif 000006
【図４】
2007336063.tif 000007
【図５】
2007336063.tif 000008
【図６】
2007336063.tif 000009
【図７】
2007336063.tif 000010